(57)【要約】【課題】手間を掛けずに測定が実施でき、しかも、測定コストの削減を叶えられるようにする。【解決手段】一対のガス管部２，３に対して各別に連通接続自在な取付部５を本体流路６の両端部に設け、両取付部５間に、本体流路６を流れるガスの流量を計測する流量計測部７を設け、流量計測部７による計測ガス流量を表示する表示部８を設けてあるガス流量計において、ガスの流量の経時変化を表示自在に記録する流量記録部９を設け、流量計測部７と表示部８と流量記録部９とを、内空部と外部とを防水自在に隔離する防水箱Ｂ内に納めてある。【選択図】　　　　図３
2004117115.tif 000002
【特許請求の範囲】
【請求項１】
一対のガス管部に対して各別に連通接続自在な取付部を本体流路の両端部に設け、前記両取付部間に、本体流路を流れるガスの流量を計測する流量計測部を設け、前記流量計測部による計測ガス流量を表示する表示部を設けてあるガス流量計であって、
前記ガスの流量の経時変化を表示自在に記録する流量記録部を設け、前記流量計測部と前記表示部と前記流量記録部とを、内空部と外部とを防水自在に隔離する防水箱内に納めてあるガス流量計。
【請求項２】
前記取付部は、差し込み式で、取り付けた状態において抜け止め方向の弾性付勢力が作用するように構成してある請求項１に記載のガス流量計。
【請求項３】
前記防水箱の外側に露出する本体流路部分は、少なくとも一部が可撓管で形成してある請求項１又は２に記載のガス流量計。
【請求項４】
前記流量記録部は、プリンターである請求項１〜３の何れか一項に記載のガス流量計。
【発明の詳細な説明】
【０００１】
【発明の属する技術分野】
本発明は、一対のガス管部に対して各別に連通接続自在な取付部を本体流路の両端部に設け、前記両取付部間に、本体流路を流れるガスの流量を計測する流量計測部を設け、前記流量計測部による計測ガス流量を表示する表示部を設けてあるガス流量計に関する。
【０００２】
【従来の技術】
この種のガス流量計としては、ガス本管に係わる工事に伴ってその期間中にガス本管のガスの流れを計測するのに使用されることがあり、例えば、時間経過とガス流量との関係を見て、ガス本管に接続された複数のガス引込管でのガス消費が正常に成されている状態であるか、又は、何れかのガス引込管でガス漏れが生じている状態であると言ったことを実施するに当たり、当該ガス流量計による流量測定を所定間隔毎に実施し、その結果を時間経過とガス流量との関係に整理し直すことで推定するものである。
従来のガス流量計としては、前記表示部は、流量計測部によるリアルタイムの測定値を単に表示するだけのものであり、人が、所定の時間間隔で前記表示部の数値をその都度記録してゆき、そのガス流量と測定時間経過とを例えばグラフ化して、そのグラフの表示からガスの流れの状態を推定できるように構成してあった。
尚、この様な従来技術に関しては、先行技術調査を行うまでもなく、当業者の間で広く知られているものであることから、先行技術文献は示していない。
【０００３】
【発明が解決しようとする課題】
上述した従来のガス流量計によれば、常に、人が測定現場に常駐して、しかも、決められた時間毎に、表示部の値を確認する必要があった。しかし、ガス流量の計測そのものは、ガス流量の変化の度合いをつかむことが重要であるから、２４時間態勢で人員を配置する必要があることに加えて、測定時間の管理をも厳格に実施する必要があることから、測定手間が掛かる上に、人件費等のコスト削減が困難であると言う問題点があった。
【０００４】
従って、本発明の目的は、上記問題点を解消し、手間を掛けずに測定が実施でき、しかも、測定コストの削減を叶えることが可能なガス流量計を提供するところにある。
【０００５】
【課題を解決するための手段】
請求項１の発明の特徴構成は、一対のガス管部に対して各別に連通接続自在な取付部を本体流路の両端部に設け、前記両取付部間に、本体流路を流れるガスの流量を計測する流量計測部を設け、前記流量計測部による計測ガス流量を表示する表示部を設けてあるガス流量計において、前記ガスの流量の経時変化を表示自在に記録する流量記録部を設け、前記流量計測部と前記表示部と前記流量記録部とを、内空部と外部とを防水自在に隔離する防水箱内に納めてあるところにある。
【０００６】
請求項１の発明の特徴構成によれば、前記ガスの流量の経時変化を表示自在に記録する流量記録部を設け、前記流量計測部と前記表示部と前記流量記録部とを、内空部と外部とを防水自在に隔離する防水箱内に納めてあるから、ガスの流量の経時変化を流量記録部において表示自在に記録しておくことができ、従来のように、人が着きっきりでガス流量の測定を実施しなくても、簡単に手間を掛けずに且つ正確にガス流量の測定記録を行うことができる。そして、測定記録はガスの流量の経時変化を表示自在に実施されているから、その表示を見て、ガス管部でのガスの流通状況を迅速に推定することが可能となる。即ち、手間を掛けずにガス流量の測定記録が実施でき、しかも、測定コストの削減をも叶えることが可能となる。
また、流量計測部や表示部や流量記録部は防水箱によって防水が図られているから、水の掛かる場所に設置しても故障すると言ったことを防止できる。従って、色んな設置環境に当該装置を配置することができるようになり、設置対象部の選択性が向上する。その結果、例えば、工事現場内でも雨水や地下水等の影響を受け易い地下に当該装置を設置すると言ったことも可能となり、それに伴って地上部を開放でき、現場での地上占用範囲を縮小することができる。因みに、ガス流量の測定記録は、上述の通り自動的に実施できるから、人が立ち入り難い場所に設置しても測定記録そのものは問題なく継続することができる。
【０００７】
請求項２の発明の特徴構成は、前記取付部は、差し込み式で、取り付けた状態において抜け止め方向の弾性付勢力が作用するように構成してあるところにある。
【０００８】
請求項２の発明の特徴構成によれば、請求項１の発明による作用効果を叶えることができるのに加えて、ガス管部に対して取付部を差し込むだけの操作で当該装置をガス管部に取り付けることができ、より効率よく装置の設置作業を行うことが可能となる。また、振動が作用しやすい設置環境であっても、前記取付部には抜け止め方向の弾性付勢力が作用しているので外れ難く、当該装置の取付状態をより確実な状態で維持することができる。特に、従来から実施されているネジ嵌合による取付部に比べて耐振動性能は向上させ易い。
【０００９】
請求項３の発明の特徴構成は、前記防水箱の外側に露出する本体流路部分は、少なくとも一部が可撓管で形成してあるところにある。
【００１０】
請求項３の発明の特徴構成によれば、請求項１又は２の発明による作用効果を叶えることができるのに加えて、ガス管部の被取付部に対して当該装置の取付部を取り付ける際に、前記可撓管が変形を許容できるから、融通が利き、取付作業の効率を向上させることが可能となる。
また、ガス管部に振動が作用しているような場合でも、前記可撓管部分において緩衝する働きがあり、当該装置本体への振動が伝わり難くすることができる。その結果、振動による当該装置の誤動作や故障を防止し易く、耐久性の向上をも叶えることが可能となる。
【００１１】
請求項４の発明の特徴構成は、前記流量記録部は、プリンターであるところにある。
【００１２】
請求項４の発明の特徴構成によれば、請求項１〜３の何れかの発明による作用効果を叶えることができるのに加えて、プリンターであることで、視覚的に解りやすくデータをアウトプットすることが可能となり、そのデータから直感的に且つ迅速に状況の把握を行い易くなる。
【００１３】
【発明の実施の形態】
以下に本発明の実施の形態を図面に基づいて説明する。
【００１４】
本実施形態で説明するガス流量計Ｑは、本発明のガス流量計の一実施形態であり、図１に示すように、その用途の一例を示すと、地中埋設されているガス本管Ｐの一部を、新しい管Ｐ２に切り替える工事を実施するに伴って、その期間中にガス本管Ｐのガスの流れを計測するのに使用することができるものである。
そして、ガスの流れの結果から、時間経過とガス流量との関係を見て、旧い管Ｐ０に接続されている複数のガス引込管ｈのガス消費の状態を調べたり、各ガス引込管ｈを遮断した状態でのガス流量を見ることで認識していないガス引込管の有無を調べたり、新しい管Ｐ２にガス引込管ｈを付け替えた後のガス漏れ等の状態を調べたりすることが可能となる。
一般的なガス消費は、朝昼夜の炊事の時間帯や、入浴が集中する夕方の時間帯にピークを示すことが多く、この様なガス消費の形態と、同流量が長時間にわたって続くようなガス消費の形態との差から、ガス漏れを推定することが可能となる。
【００１５】
前記ガス本管Ｐは、図２に示すように、工事の実施に当たり遮断弁１を設けてあり、その遮断弁１の両側のガス管部２，３に対して、ガス流量計Ｑが取り付けられている。前記ガス管部２，３の被取付部は、図に示すように、被取付管２ａ，３ａ、及び、バルブ２ｂ，３ｂが設けてあり、この部分に、ガス流量計の取付部がネジ嵌合によって取り付けられるように構成してある。
【００１６】
前記ガス流量計Ｑは、図３に例示するごとく、金属製の防水箱Ｂからなる装置本体４と、装置本体４から延出した一対の取付部５とを備えて構成してある。尚、防水箱Ｂは、本体Ｂ１と着脱自在に形成された蓋部材Ｂ２が設けてあり、蓋部材Ｂ２を外すことで内部を確認することができるようになる。前記取付部５は、金属管で形成してあり、端部が前記被取付管２ａ，３ａとネジ嵌合できるように構成してある。そして、取付部５を構成する金属管は、前記防水箱Ｂを貫通して内部に入り、後述する流量計測部７に連通接続されている。また、防水箱Ｂの貫通部は、シールを施してあり防水性が維持されるものである。
【００１７】
前記一方の取付部５から装置本体４の内部を経由して他方の取付部５にいたるように本体流路６が設けてあり、前記装置本体４の内部には、本体流路６を流れるガスＧの流量を計測する流量計測部７、前記流量計測部７による計測ガス流量を表示する表示部８、前記ガスＧの流量の経時変化を表示自在に記録するプリンター（流量記録部に相当）９、そして前記流量計測部７の測定結果を整理してプリンター９への印字指令を出す等の制御を行う制御部１０、前記流量計測部７や表示部８やプリンター９や制御部１０に電気を供給自在な電源部１１を設けてある。
【００１８】
前記流量計測部７と表示部８とは、一体に取り付けてあり、流量計測部７は、内部のセンサ部の温度分布から流量を導き出す所謂熱型フローセンサによって構成してある。また、表示部８は、前記流量計測部７の測定結果をリアルタイム表示できるようにＬＥＤ１２で構成してある。
【００１９】
前記プリンター９は、図４に示すように、カバー９ａ内に納めてあり、前記流量計測部７での瞬時計測流量をはじめ、積算流量や、測定年月日、測定時間等を印字できるように構成してある。そして、当該実施形態においては、前記制御部１０において３０分ごとにピックアップした流量計測部７の測定結果と、測定年月日、測定時間とを印字するように設定してある（図５参照）。
また、カバー９ａの側面には、印字されたプリンター用ロール紙を取り出せるように排出窓９ｂを形成してある。
【００２０】
前記制御部１０はマイクロコンピュータで構成してあり、前記カバー９ａ内に装備されている。当該制御部１０によれば、３０分ごとに前記流量測定部７での測定結果をピックアップして、プリンター９に印字指令を行うように設定されている。尚、ピックアップ時間間隔は、変更することができるように構成してあり、また、積算流量をアウトプットするように切り替えることも可能である。
【００２１】
前記電源部１１は、図に示すように、カバー１１ａ内に納めてあり、複数の乾電池１３と、オンオフを切替自在な電源スイッチ１４とから構成されている。この様に、ガス流量計Ｑ内に電源まで確保してあるから、電源供給ができない現場であっても何ら問題なく流量計測を実施することが可能となる。
【００２２】
本実施形態のガス流量計によれば、ガスの流量の経時変化を流量記録部において表示自在に記録しておくことができ、従来のように、人が着きっきりでガス流量の測定を実施しなくても、簡単に手間を掛けずに且つ正確にガス流量の測定記録を行うことができる。そして、測定記録はガスの流量の経時変化を表示自在に実施されているから、その表示を見て、ガス管部でのガスの流通状況を迅速に推定することが可能となる。即ち、手間を掛けずにガス流量の測定記録が実施でき、しかも、測定コストの削減をも叶えることが可能となる。
また、流量計測部や表示部や流量記録部は防水箱によって防水が図られているから、例えば、雨水や地下水で濡れるような場所に設置しても故障すると言ったことを防止できる。
【００２３】
〔別実施形態〕
以下に他の実施の形態を説明する。
【００２４】
〈１〉　前記取付部は、先の実施形態で説明したガス管部に対してネジ嵌合によって取り付ける構成に限るものではなく、例えば、差し込み式で、取り付けた状態において抜け止め方向の弾性付勢力が作用するような、所謂、ワンタッチジョイントで構成してあってもよい（図６参照）。この構成によれば、ガス管部に対して取付部を差し込むだけの操作で当該装置をガス管部に取り付けることができ、より効率よく装置の設置作業を行うことが可能となる。また、振動が作用しやすい設置環境であっても、前記取付部には抜け止め方向の弾性付勢力が作用しているので外れ難く、当該装置の取付状態をより確実な状態で維持することができる。特に、ネジ嵌合による取付部に比べて耐振動性能は向上させ易い。
〈２〉　また取付部は、先の実施形態で説明した金属管のみで形成してあるものに限るものではなく、例えば、図６に示すように、前記防水箱Ｂの外側に露出する本体流路６部分の、少なくとも一部が可撓管で形成してあってもよく、この構成を採用することによって、ガス管部の被取付部に対して当該装置の取付部を取り付ける際に、前記可撓管が変形を許容できるから、融通が利き、取付作業の効率を向上させることが可能となる。また、ガス管部に振動が作用しているような場合でも、前記可撓管部分において緩衝する働きがあり、当該装置本体への振動が伝わり難くすることができる。その結果、振動による当該装置の誤動作や故障を防止し易く、耐久性の向上をも叶えることが可能となる。
因みに、可撓管は、防水箱Ｂの外側に露出している取付部の一部、又は、全部であってもよい。更には、上述の〈１〉の実施形態で説明した差し込み式の取付部構造と組み合わせれば、より、取扱性が向上する。
〈３〉　前記流量記録部は、先の実施形態で説明したプリンターに限るものではなく、例えば、計測データを外部の記録装置に送信して、そのデータをもとにしてディスプレイ等の表示装置に映し出す方式を採用することも可能である。また、その際、データの送信形式は、有線、無線、何れの形態をも採用することができる。
【００２５】
尚、上述のように、図面との対照を便利にするために符号を記したが、該記入により本発明は添付図面の構成に限定されるものではない。
【図面の簡単な説明】
【図１】実施形態で説明するガス流量計の設置状況を示す概念図
【図２】実施形態で説明するガス流量計の取り付け状況を示す要部説明図
【図３】実施形態で説明するガス流量計の分解斜視図
【図４】実施形態で説明するガス流量計の上面視説明図
【図５】流量記録状況を示す説明図
【図６】別実施形態のガス流量計を示す上面視説明図
【符号の説明】
２　　　ガス管部
３　　　ガス管部
５　　　取付部
６　　　本体流路
７　　　流量計測部
８　　　表示部
９　　　プリンター（流量記録部に相当）
Ｂ　　　防水箱
Ｇ　　　ガス
【図１】
2004117115.tif 000003
【図２】
2004117115.tif 000004
【図３】
2004117115.tif 000005
【図４】
2004117115.tif 000006
【図５】
2004117115.tif 000007
【図６】
2004117115.tif 000008